【手続補正書】
【提出日】平成22年12月24日(2010.12.24)
【手続補正１】
【補正対象書類名】明細書
【補正対象項目名】発明の名称
【補正方法】変更
【補正の内容】
【発明の名称】信号受信装置
【手続補正２】
【補正対象書類名】明細書
【補正対象項目名】特許請求の範囲
【補正方法】変更
【補正の内容】
【特許請求の範囲】
【請求項１】  伝送路を介して信号送信装置に接続された、ＤＶＩ規格ソースに準拠した信号受信装置において、
第１のデジタルビデオ信号、第１の時間軸圧縮されたデジタル音声信号、及び第１の制御信号が多重化された第１の多重信号を伝送する第１のチャンネルと、
第２のデジタルビデオ信号、第２の時間軸圧縮されたデジタル音声信号、及び第２の制御信号が多重化された第２の多重信号を伝送する第２のチャンネルと、
第３のデジタルビデオ信号、及び同期信号が多重化された第３の多重信号を伝送する第３のチャンネルと、
を含むチャンネルから信号を受信する受信部と、
上記受信部にて受信した上記第１の制御信号、及び上記第２の制御信号を用いて、上記受信部にて受信した上記第１の多重信号から、上記第１の時間軸圧縮されたデジタル音声信号を分離するとともに、上記受信部にて受信した上記第１の制御信号、及び上記第２の制御信号を用いて、上記受信部にて受信した上記第２の多重信号から、上記第２の時間軸圧縮されたデジタル音声信号を分離する分離部と、
を備えたことを特徴とする信号受信装置。
【請求項２】  上記分離部は、
上記受信部にて受信した上記第１の制御信号、及び上記第２の制御信号を用いて、上記受信部にて受信した上記第１の多重信号から、上記第１の時間軸圧縮されたデジタル音声信号、及び上記第１のデジタルビデオ信号を分離するとともに、上記受信部にて受信した上記第１の制御信号、及び上記第２の制御信号を用いて、上記受信部にて受信した上記第２の多重信号から、上記第２の時間軸圧縮されたデジタル音声信号、及び上記第２のデジタルビデオ信号を分離することを特徴とする請求項１記載の信号受信装置。
【手続補正３】
【補正対象書類名】明細書
【補正対象項目名】０００１
【補正方法】変更
【補正の内容】
【０００１】
【発明の属する技術分野】
本発明は、信号受信装置に関するものである。
【手続補正４】
【補正対象書類名】明細書
【補正対象項目名】０００８
【補正方法】変更
【補正の内容】
【０００８】
本発明は、上記問題点を解消するためになされたもので、映像信号とともに音声信号を伝送できるＤＶＩ規格の信号伝送システムを実現可能な信号受信装置を提供することを目的とする。
【手続補正５】
【補正対象書類名】明細書
【補正対象項目名】０００９
【補正方法】変更
【補正の内容】
【０００９】
【課題を解決するための手段】
上記課題を解決するために、本発明の請求項１に記載の信号受信装置は、伝送路を介して信号送信装置に接続された、ＤＶＩ規格ソースに準拠した信号受信装置において、第１のデジタルビデオ信号、第１の時間軸圧縮されたデジタル音声信号、及び第１の制御信号が多重化された第１の多重信号を伝送する第１のチャンネルと、第２のデジタルビデオ信号、第２の時間軸圧縮されたデジタル音声信号、及び第２の制御信号が多重化された第２の多重信号を伝送する第２のチャンネルと、第３のデジタルビデオ信号、及び同期信号が多重化された第３の多重信号を伝送する第３のチャンネルと、を含むチャンネルから信号を受信する受信部と、上記受信部にて受信した上記第１の制御信号、及び上記第２の制御信号を用いて、上記受信部にて受信した上記第１の多重信号から、上記第１の時間軸圧縮されたデジタル音声信号を分離するとともに、上記受信部にて受信した上記第１の制御信号、及び上記第２の制御信号を用いて、上記受信部にて受信した上記第２の多重信号から、上記第２の時間軸圧縮されたデジタル音声信号を分離する分離部とを、備えた、ことを特徴とするものである。
【手続補正６】
【補正対象書類名】明細書
【補正対象項目名】００１０
【補正方法】変更
【補正の内容】
【００１０】
本発明の請求項２に記載の信号受信装置は、上記分離部が、上記受信部にて受信した上記第１の制御信号、及び上記第２の制御信号を用いて、上記受信部にて受信した上記第１の多重信号から、上記第１の時間軸圧縮されたデジタル音声信号、及び上記第１のデジタルビデオ信号を分離するとともに、上記受信部にて受信した上記第１の制御信号、及び上記第２の制御信号を用いて、上記受信部にて受信した上記第２の多重信号から、上記第２の時間軸圧縮されたデジタル音声信号、及び上記第２のデジタルビデオ信号を分離することを特徴とするものである。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００６０
【補正方法】変更
【補正の内容】
【００６０】
【発明の効果】
本発明の信号送信装置によれば、伝送路を介して信号受信装置に接続された信号送信装置において、第１の信号を時間軸圧縮する時間軸圧縮手段と、第２の信号に基づいて多重制御信号を生成する多重制御信号発生装置と、上記多重制御信号発生装置により生成した多重制御信号を用いて、上記時間軸圧縮された第１の信号と、上記第２の信号と、第３の信号とを多重化し多重信号として出力する信号多重手段と、上記多重信号及び上記多重制御信号を上記信号受信装置に送信する信号送信手段とを、備えたことより、第１、第２、第３の信号を同一の伝送路で伝送する信号伝送システムを実現可能である。
【手続補正１４】
【補正対象書類名】明細書
【補正対象項目名】００６１
【補正方法】変更
【補正の内容】
【００６１】
本発明の信号送信装置によれば、伝送路を介して信号受信装置に接続された信号送信装置において、第１の信号を時間軸圧縮する時間軸圧縮手段と、第２の信号に基づいて多重制御信号を生成する多重制御信号発生装置と、上記多重制御信号発生装置により生成した多重制御信号を用いて、上記時間軸圧縮された第１の信号と、上記第２の信号と、第３の信号とを多重化し多重信号として出力する信号多重手段と、上記多重信号を上記信号受信装置に送信する信号送信手段と、を備えたことより、多重制御信号を信号受信装置に伝送することなく、第１，第２，第３の信号を同一の伝送路で伝送する信号伝送システムを実現可能である。
【手続補正１５】
【補正対象書類名】明細書
【補正対象項目名】００６２
【補正方法】変更
【補正の内容】
【００６２】
本発明の信号送信装置によれば、上記信号送信装置において、上記第１の信号は音声信号であり、上記第２の信号は水平同期信号または垂直同期信号であり、上記第３の信号は映像信号であるようにしたので、映像信号とともに音声信号を伝送できるＤＶＩ規格の信号伝送システムを実現可能である。
【手続補正１６】
【補正対象書類名】明細書
【補正対象項目名】００６３
【補正方法】変更
【補正の内容】
【００６３】
本発明の信号送信装置によれば、ＲＧＢの映像信号をシリアルデータとして伝送するＤＶＩ伝送規格の信号送信装置において、上記ＲＧＢの映像信号をシリアルデータとして伝送する第１のモードに加え、輝度信号、色差信号、及び音声信号の３つの信号を伝送する第２のモードを有し、上記第１のモードと上記第２のモードを切り替える切り替え手段を備えたことより、映像信号とともに音声信号を伝送できるＤＶＩ規格の信号伝送システムを実現可能である。
【手続補正１７】
【補正対象書類名】明細書
【補正対象項目名】００６４
【補正方法】変更
【補正の内容】
【００６４】
本発明の信号受信装置によれば、伝送路を介して信号送信装置に接続された信号受信装置において、上記信号送信装置から、時間軸多重された第１の信号、第２の信号、及び第３の信号が多重化された多重信号を受信する第１の受信手段と、上記信号送信装置から多重制御信号を受信する第２の受信手段と、上記第２の受信手段にて受信した上記多重制御信号を用いて、上記第１の受信手段にて受信した上記多重信号を上記第１，第２の信号に分離する分離手段と、上記分離手段により分離された第１の信号を時間軸伸張する時間軸伸張手段と、を備えたことより、第１，第２，第３の信号を同一の伝送路で伝送できる信号伝送システムを実現可能である。
【手続補正１８】
【補正対象書類名】明細書
【補正対象項目名】００６５
【補正方法】変更
【補正の内容】
【００６５】
本発明の信号受信装置によれば、伝送路を介して信号送信装置に接続された信号受信装置において、上記信号送信装置から、時間軸多重された第１の信号、第２の信号、及び第３の信号が多重化された多重信号を受信する受信手段と、上記多重信号から上記第２の信号を検出する検出手段と、上記検出手段により検出された第２の信号に基づいて多重制御信号を生成する多重制御信号発生手段と、上記多重制御信号を用いて、上記多重信号を上記第１、第２、第３の信号に分離する分離手段と、上記分離手段により分離された上記第１の信号を時間軸伸張する時間軸伸張手段と、を備えたことより、信号送信装置から多重制御信号を受信することなく、多重信号を分離でき、また、第１，第２，第３の信号を同一の伝送路で受信できる信号伝送システムを実現可能である。
【手続補正１９】
【補正対象書類名】明細書
【補正対象項目名】００６６
【補正方法】変更
【補正の内容】
【００６６】
本発明の信号受信装置によれば、上記信号受信装置において、上記第１の信号は音声信号であり、上記第２の信号は水平同期信号または垂直同期信号であり、上記第３の信号は映像信号であるようにしたので、映像信号とともに音声信号を伝送できるＤＶＩ規格の信号伝送システムを実現可能である。
【手続補正２０】
【補正対象書類名】明細書
【補正対象項目名】００６７
【補正方法】変更
【補正の内容】
【００６７】
本発明の信号受信装置によれば、ＲＧＢの映像信号をシリアルデータとして受信するＤＶＩ伝送規格の信号受信装置において、上記ＲＧＢの映像信号をシリアルデータとして受信する第１のモードに加え、輝度信号、色差信号、及び音声信号の３つの信号を受信する第２のモードを有し、上記第１のモードと上記第２のモードを切り替える切り替え手段を備えたことより、映像信号とともに音声信号を伝送できるＤＶＩ規格の信号伝送システムを実現可能である。